(57)【要約】【課題】本発明は、走査線が傾くなどの各色の画像のずれの発生をなくし、高画質、高精細の印刷品質を安定して提供することを課題とする。【解決手段】本発明は、光源からの光ビームを走査し複数の感光体に照射する走査光学装置を複数備えた画像形成装置において、走査光学装置を１つの軸上で保持し、それを回転させるための手段として、軸から遠い一点の保持部をカム機構などで上下に動かす回転運動調整機構を備えることを特徴とする。【選択図】図３
2005081598.tif 000002
【特許請求の範囲】
【請求項１】
光ビーム発生手段から発生した光ビームを偏向面によって反射して被走査面上に結像させる走査光学系と、当該走査光学系に対応して配置された感光体とを複数組備え、転写シートに多重印刷するタンデム方式の走査光学装置において、前記感光体上を走査する光学像の走査ラインの傾きを変更させる手段として、それぞれの走査光学装置が被走査面の面法線をビームが偏向走査される平面に投影した方向を回転軸として回転調整することを特徴とする画像形成装置。
【請求項２】
前記回転中心軸は被走査面の書出し位置あるいは書終位置を含むことを特徴とする請求項１に記載の画像形成装置。
【請求項３】
光ビーム発生手段から発生した光ビームを偏向面によって反射して被走査面上に結像させる走査光学系と、当該走査光学系に対応して配置された感光体とを複数組備え、転写シートに多重印刷するタンデム方式の走査光学装置において、前記感光体上を走査する光学像の走査ラインの傾きを変更させる手段として、それぞれの走査光学装置が被走査面の書出し位置あるいは書終位置付近を含んだ軸を回転軸として回転調整することを特徴とする画像形成装置。
【請求項４】
前記走査光学装置を駆動するための手段として、前記走査光学装置の回転軸のもう一方の側にステッピングモータを備え、前記ステッピングモータに接続される偏心カムを備え、前記偏心カムをステッピングモータで駆動させることにより、前記走査光学装置を回転調整することを特徴とする請求項１または請求項３に記載の画像形成装置。
【発明の詳細な説明】
【技術分野】
【０００１】
本発明は、光ビームにより複数の感光体ドラムにそれぞれ独立した画像書込みを行うカラー画像形成装置に関する。
【背景技術】
【０００２】
光ビームにより複数の感光体にそれぞれ独立した画像書込みを行うカラー画像形成装置においては、光源からの光ビームを走査し感光体に照射する場合に、それぞれの走査光学装置および感光体の取付誤差等から、転写シートに転写されたそれぞれの画像において走査線が傾くなどの各色の画像のずれが生じ、色ずれとなって印刷品質が低下する。
【０００３】
従来、この問題を解決するために走査光学装置内にシリンドリカルミラーやロングシリンドリカルレンズを備え、走査線の傾きを補正する方向にそれぞれを傾けることで色ずれの対策を行っている。
【０００４】
また、走査光学装置全体を動かして走査線の傾きを補正する方法を、図１９〜図２１を参照して説明する。走査光学装置３０は前方筐体フレーム１３と後方筐体フレーム１５の間に取付けられたステー３１上に搭載され、回転軸３２を中心として偏心カム３３等の手段により駆動され回転調整される（例えば、特許文献１参照。）。例えばＦ方向に回転調整をおこなうと、走査線３４が走査線３７の如く傾くことで補正を行える。
【０００５】
【特許文献１】特開２００１−１３３７１８号公報
【発明の開示】
【発明が解決しようとする課題】
【０００６】
ところが、上記のように走査光学装置内のシリンドリカルミラーやロングレンズの調整をカラー画像形成装置内で行ってしまうと、走査光学装置を入替えた際に互換性がなくなってしまい再度調整を行う必要ある。また、上記シリンドリカルミラーやロングレンズをアクティブに駆動させる機構を備える走査光学装置も発明されているが、それぞれの走査光学装置内に駆動機構を備えるために、複雑な機構が必要となり、部品点数が大幅に増加することで入替え用の走査光学装置の価格が高くなってしまうという問題がある。
【０００７】
また、走査光学装置全体を動かして走査線の傾きを補正する方法では、走査線の傾きを補正すると、書出し位置及び書終位置が大きく変動してしまうことにより、他の画像ずれが発生してしまう。
【０００８】
本発明は、上記問題を解決するものであって、画像のずれを容易にしかも簡単な機構で補正できる画像形成装置を提供することを目的とする。
【課題を解決するための手段】
【０００９】
本発明は、光源からの光ビームを走査し複数の感光体に照射する走査光学装置を複数備えた画像形成装置において、走査光学装置を１つの軸上で保持し、それを回転させるための手段として、軸から遠い一点の保持部をカム機構などで上下に動かす回転運動調整機構を備えることを特徴とする。
【発明の効果】
【００１０】
本発明によれば、部品の取付誤差及び、カラー画像形成装置内の雰囲気温度の変化等により走査線に傾きが発生し画像のずれが生じた場合にも、画像のずれを高精度に補正することにより色ずれを防止でき、カラー画像形成装置本体側に画像のずれを補正する機構を設けることにより、走査光学装置の内部に複雑な構成の走査線傾きの補正機構を設ける必要がなくなる。この結果、簡単な構成により画像のずれを高精度に補正する高信頼性なカラー画像形成装置を提供することが出来る。
【発明を実施するための最良の形態】
【００１１】
以下、本発明の実施例を図面を参照して説明する。
【実施例１】
【００１２】
実施例１を図１〜図１０により説明する。図１は、本発明に係るタンデム方式の画像形成装置の実施例を示す全体構成の断面図である。この装置は、ブラック、シアン、イエロー、マゼンタの各色成分についてそれぞれ独立した走査光学系と感光体ドラムとを備え、中間転写体に多重印刷を行い、用紙に転写することでカラープリントを得るタンデム方式のカラープリンタである。
【００１３】
図１に示す実施例のタンデム方式の画像形成装置は、電子写真方式の画像形成装置であり、互いに異なる色の可視トナー像の形成ユニットＫ、Ｙ、Ｍ、Ｃが図の如く配置される。可視トナー像の形成ユニットＫ、Ｙ、Ｍ、Ｃはそれぞれドラム形状の感光体１ｋ、１ｙ、１ｍ、１ｃを備えている。感光体１ｋ〜１ｃの周囲には、帯電器２ｋ、２ｙ、２ｍ、２ｃ、走査光学装置３ｋ、３ｙ、３ｍ、３ｃ、現像装置４ｋ、４ｙ、４ｍ、４ｃ、転写器５ｋ、５ｙ、５ｍ、５ｃ、清掃装置６ｋ、６ｙ、６ｍ、６ｃがそれぞれこの順に配置されている。感光体１ｋ〜１ｃは、それぞれ図中Ａ方向に回転駆動される。
【００１４】
上記カラー画像形成装置においては、感光体１ｋ〜１ｃは帯電器２ｋ〜２ｃにより、一様に帯電され走査光学装置３ｋ〜３ｃにより像露光が行われ、感光体１ｋ〜１ｃ上に静電潜像が形成される。現像機４ｋ〜４ｃにおいて感光体１ｋ〜１ｃ表面にトナー像が形成され、現像されたトナー像を転写器５ｋ〜５ｃにより中間転写体７にそれぞれ転写することで、カラー画像が形成される。形成されたカラー画像は中間転写体７によってＢ方向に搬送され用紙に転写される。
【００１５】
図２は図１の走査光学装置３ｋ〜３ｃの構成図である。半導体レーザ光源８ａから出た光ビーム８ｂはポリゴンミラー８ｃによってＣ方向に走査されＦθレンズ８ｄ、リターンミラー８ｅを通過して感光体面８ｆ上に結像される。次に本発明の画像形成装置における走査ラインの傾きを補正する方式について説明する。本発明においては、走査光学装置の移動により走査線の傾きの補正のみを行い、他の画像のずれに対しては電気的な手段を用いて補正を行う。
【００１６】
図３〜図６は本発明における走査線補正機構を示す正面図、上面図、右側面図である。図７に上面拡大図、図８に正面拡大図を示す。走査光学装置９は感光体１０に光ビーム１１を走査する。感光体１０における光ビームの書出し点を１２とすると、走査光学装置９を前方筐体フレーム１３に対して、感光体１０上の光ビームの書出し点１２からの軸１４上に回転自在に保持される。また、走査光学装置９は後方筐体フレーム１５に取付けられたモータ１６によって回転する偏心カム１７によって保持される。
【００１７】
次に図６を用いて本発明による走査線の傾きを補正する機構を説明する。図９に感光体１０が透過している状態として示す。走査光学装置９から照射された光ビーム１１は感光体９表面に走査線１８を書込む。この時、走査線１８が中間転写体において傾きが発生していた場合、それを補正する方法として、図１０に示すようにモータ１６を回転させることにより、モータ１６に取付けられた偏心カム１７が回転する。これにより、走査光学装置９は光ビームの書出し点１２からの軸上に保持されているために、書出し点１２を中心にＤ方向に回転移動する。これにより、走査線１８は書出し点１２が同じまま走査線１９の如く傾く。つまり、書出し位置の変動がなく走査線の傾きを補正することが可能となる。
【実施例２】
【００１８】
本発明の実施例２を図１１〜図１８により説明する。走査光学装置２０は感光体１０に光ビーム２１を走査する。また、走査光学装置２０は前方筐体フレーム１３と後方筐体フレーム１５をつなぐシャフト２２、２３に取付ける。この時、走査光学装置２０はシャフト２２に対して固定し、シャフト２３に対しては点で接触して保持する構成とする。シャフト２２は前方筐体フレーム１３の取り付け部を支点として後方筐体フレーム１５に対して上下方向に可動となる構成であり、後方筐体フレーム１５に取付けられたモータ１６によって回転する偏心カム１７によって保持される。本構成により、偏心カム１７の回転により、走査光学装置２０は仮想軸２４を中心として回転移動する。この仮想軸２４を感光体１０まで延長した点が仮想走査線回転中心点２５となる。図１７及び図１８に示すように、偏心カム１７を回転することにより、シャフト２２が前方筐体フレーム１５を支点としてＥ方向に回転することで走査光学装置も同様に回転移動する。これにより走査線２６は走査線２７の如く傾く。しかし、この時走査線２６は点２５を中心として回転するために、書出し位置２８は書出し位置２９となり、若干の位置の変動が発生する。しかし、本変動量は微少であり十分に電気的な手段を用いて補正できる範疇にある。
【図面の簡単な説明】
【００１９】
【図１】本発明の画像形成装置を示す全体構成図である。(実施例１)
【図２】図１における走査光学装置の構成図である。(実施例１)
【図３】本発明における走査線補正機構を示す上面図である。(実施例１)
【図４】本発明における走査線補正機構を示す側面図である。(実施例１)
【図５】本発明における走査線補正機構を示す側面図である。(実施例１)
【図６】本発明における走査線補正機構を示す正面図である。(実施例１)
【図７】図３の詳細説明図である。(実施例１)
【図８】図６の詳細説明図である。(実施例１)
【図９】図１２、１３において走査線に傾きがない状態の詳細説明図である。(実施例１)
【図１０】図１２、１３において走査線の傾きを補正する機構を説明する詳細図である。(実施例１)
【図１１】本発明における走査線補正機構を示す上面図である。(実施例２)
【図１２】本発明における走査線補正機構を示す側面図である。(実施例２)
【図１３】本発明における走査線補正機構を示す側面図である。(実施例２)
【図１４】本発明における走査線補正機構を示す正面図である。(実施例２)
【図１５】図１１の詳細説明図である。(実施例２)
【図１６】図１４の詳細説明図である。(実施例２)
【図１７】図１２の詳細説明図である。(実施例２)
【図１８】図１３の詳細説明図である。(実施例２)
【図１９】従来の走査線補正機構を示す上面図である。
【図２０】従来の走査線補正機構を示す正面図である。
【図２１】従来の走査線補正機構を示す上面図である。
【符号の説明】
【００２０】
１ｋ、１ｙ、１ｍ、１ｃ…感光体、２ｋ、２ｙ、２ｍ、２ｃ…帯電器、３ｋ、３ｙ、３ｍ、３ｃ…走査光学装置、４ｋ、４ｙ、４ｍ、４ｃ…現像装置、５ｋ、５ｙ、５ｍ、５ｃ…転写器、６ｋ、６ｙ、６ｍ、６ｃ…清掃装置、７…中間転写体、８ａ…半導体レーザ光源、８ｂ…光ビーム、８ｃ…ポリゴンミラー、８ｄ…第１Ｆθレンズ、８ｅ…第２Ｆθレンズ、８ｆ…リターンミラー、８ｇ…感光体面、９…走査光学装置、１０…感光体、１１…光ビーム、１２…書出し位置、１３…前方筐体フレーム、１４…下記出し点からの軸、１５…後方筐体フレーム、１６…モータ、１７…偏心カム、１８…走査線、１９…走査線、２０…走査光学装置、２１…光ビーム、２２…シャフト、２３…シャフト、２４…仮想回転軸、２５…走査線回転中心点、２６…走査線、２７…走査線、２８…書出し位置、２９…書出し位置。
【図１】
2005081598.tif 000003
【図２】
2005081598.tif 000004
【図３】
2005081598.tif 000005
【図４】
2005081598.tif 000006
【図５】
2005081598.tif 000007
【図６】
2005081598.tif 000008
【図７】
2005081598.tif 000009
【図８】
2005081598.tif 000010
【図９】
2005081598.tif 000011
【図１０】
2005081598.tif 000012
【図１１】
2005081598.tif 000013
【図１２】
2005081598.tif 000014
【図１３】
2005081598.tif 000015
【図１４】
2005081598.tif 000016
【図１５】
2005081598.tif 000017
【図１６】
2005081598.tif 000018
【図１７】
2005081598.tif 000019
【図１８】
2005081598.tif 000020
【図１９】
2005081598.tif 000021
【図２０】
2005081598.tif 000022
【図２１】
2005081598.tif 000023